(57)【要約】  本発明は、オムツ、パンツ型オムツ、生理用ナプキン、又は失禁ガードのような吸収性物品に関する吸収性物品（１０）は、内側カバーシート（１４）と外側カバーシート（１６）との間に配置された吸収性コア（１２）を備える。この吸収性物品は、少なくとも１つの廃棄用固定手段（１８）をさらに備え、前記廃棄用固定手段（１８）は、物品が使用された後の廃棄を簡便にする構成に物品を固定することを可能にする、外側カバーシート（１６）の少なくとも一部分に固定するように適用された固定要素（２０）を備えている。
2008541924.tif 000002
【特許請求の範囲】
【請求項１】
内側カバーシート（１４）と外側カバーシート（１６）との間に配置された吸収性コア（１２）を備えるオムツ、パンツ型オムツ、生理用ナプキン、又は失禁ガードのような吸収性物品（１０）であって、
前記物品は、少なくとも１つの廃棄用固定手段（１８）をさらに備え、前記廃棄用固定手段（１８）は、前記外側カバーシート（１６）の少なくとも一部分に固定されるように適用された固定要素（２０）を有し、該固定要素（２０）は、前記物品が、前記物品が使用された後の廃棄を簡便にする構成に固定されることを可能にしており、前記廃棄用固定手段（１８）は、引っ張りタブ（２２）をさらに備え、前記物品は長手方向（ｙ）と横方向（ｘ）とを有している、吸収性物品において、
前記廃棄用固定手段（１８）は、使用されていない場合にはポケット（２４）の中に配置され、前記引っ張りタブ（２２）は、前記ポケット（２４）から突出しており、よって廃棄用固定手段（１８）を必要なときにポケット（２４）から引き出すことができることを特徴とする吸収性物品。
【請求項２】
前記ポケット（２４）は、前記内側カバーシート（１４）と前記外側カバーシート（１６）との間に形成されていることを特徴とする請求項１に記載の吸収性物品。
【請求項３】
前記外側カバーシート（１６）は、服に面する層（２８）と少なくとも１つの内側層（３０）とを備える積層体（２６）であり、前記ポケット（２４）は前記内側層（３０）と服に面する層（２８）との間に形成されていることを特徴とする請求項１に記載の吸収性物品。
【請求項４】
前記ポケット（２４）は、前記内側カバーシート（１４）又は外側カバーシート（１６）と、追加的な材料層（３２）との間に形成されていることを特徴とする請求項１に記載の吸収性物品。
【請求項５】
前記ポケット（２４）は、前記物品の内側カバーシート（１４）の内表面（３４）に配置されていることを特徴とする請求項４に記載の吸収性物品。
【請求項６】
前記材料層（３２）と前記廃棄用固定手段（１８）とは、同じ材料片から形成されていることを特徴とする請求項４又は５に記載の吸収性物品。
【請求項７】
前記ポケット（２４）は、前記引っ張りタブ（２２）が前記物品の端部を越えて突出するように配置されていることを特徴とする請求項１〜６のいずれか一項に吸収性物品。
【請求項８】
前記物品は、オムツ又はパンツ型オムツであり、前記ポケット（２４）は、前記物品の腰バンド（３６）に配置されているとともに、前記引っ張りタブ（２２）が前記物品の前記腰バンド（３６）を超えて突出するように構成されていることを特徴とする請求項７に記載の吸収性物品。
【請求項９】
前記固定要素（２０）は、面ファスナータイプの固定部材のフック部分であることを特徴とする請求項１〜８のいずれか一項に記載の吸収性物品。
【請求項１０】
前記固定要素（２０）は、接着テープタブであることを特徴とする請求項１〜８のいずれか一項に記載の吸収性物品。
【請求項１１】
前記廃棄用固定手段（１８）は、前記ポケット（２４）の中で折りたたまれていることを特徴とする請求項１〜１０のいずれか一項に記載の吸収性物品。
【請求項１２】
前記廃棄用固定手段（１８）は弾性材料を備え、引っ張り下にない場合には前記廃棄用固定手段（１８）は前記ポケット（２４）の中に隠されているが、引っ張り下においては前記引っ張りタブ（２２）を引くことによって前記ポケット（２４）から引き出すことができることを特徴とする請求項１〜１１のいずれか一項に記載の吸収性物品。
【請求項１３】
前記物品（１０）は、表部（３８）、股部分（４０）、及び背部（４２）を備えるパンツ型の吸収性物品であり、前記表部（３８）及び前記背部（４２）は、２つの対向する長手方向側端辺に沿って互いに結合されて、腰部開口部と１対の脚部開口部とを形成していることを特徴とする請求項１〜１２のいずれか一項に記載の吸収性物品。
【請求項１４】
前記廃棄用固定手段（１８）は、前記物品の表部（３８）又は背部（４２）に配置されていることを特徴とする請求項１〜１３のいずれか一項に記載の吸収性物品。
【発明の詳細な説明】
【技術分野】
【０００１】
本発明は、オムツ、パンツ型オムツ、生理用ナプキン、又は失禁ガードのような吸収性物品に関する。この物品は、少なくとも１つの廃棄用固定手段を備え、前記廃棄用固定手段は、外側カバーシートの少なくとも一部分に固定されるように適用された固定要素を有し、この固定要素は、前記物品が使用された後の廃棄を簡便にする構成に、物品が固定されることを可能にしている。
【背景技術】
【０００２】
使用後には、吸収性物品は通常折りたたまれるか、丸められ、廃棄のために汚れた部分が内側に包まれる。汚れた物品が折りたたまれていない状態に戻るのを防止し、汚れた部分を内側に保持するために、いわゆる”廃棄用固定手段”を配置し、廃棄のときに物品を折りたたまれた状態、又は丸められた状態に保持することが望ましい。通常は、廃棄用固定手段は、例えば接着性の固定要素又は機械的な固定要素のような固定要素を備え、この固定要素の一方の端部は物品の前部又は後部に固定され、折りたたまれ、よって、通常使用時には接着性の固定要素又は機械的な固定要素が露出しない位置にあるようにされている。ストリップは、固定要素の廃棄用固定手段としての使用が望まれる場合に、固定要素を露出させるように、折りたたまれていない状態にすることができる。
【０００３】
特許文献１は、オムツの側端辺の近傍に配置されたテープストリップの形態の廃棄用固定手段を有するパンツ型オムツを開示している。テープストリップのそれぞれは、側端辺に平行に長手方向に延在する第１の部分と、この第１の部分の所定の領域からオムツの長手方向又は横方向に延在する第２の部分との２つの部分を備えている。廃棄用固定手段は、腰部開口部又は脚部開口部を通じた漏れ無しに、廃棄のための丸められた状態にオムツを保持するように適用されるとされている。
【０００４】
特許文献２は、物品の結合された側端辺の間の側部結合領域に配置された少なくとも１つの固定手段を備えているパンツ型吸収性物品を開示している。側部結合領域を破くことによって、固定手段は露出する。特許文献３は、廃棄用固定手段を有する吸収性物品を開示しており、この廃棄用固定手段は視覚的表示を含んでいる。これら表示は、廃棄用固定手段の配置を容易化し、着用者又は介護担当者への指示を与えることができる。
【０００５】
特許文献４は、オムツの廃棄のために使用されるプラスティックバッグを開示しており、このプラスティックバッグはオムツに直接配置され、オムツ上の破くことができる閉塞部の中に含まれている。オムツの廃棄が必要とされる場合には、閉塞部は破いて開けられ、プラスティックバッグが引き出されて汚れたオムツがプラスティックバッグの中に挿入される。
【０００６】
特許文献５は、廃棄するときに、使用されたオムツを固定するように意図されたテープ固定部材を有して提供されるパンツ型オムツを開示している。特許文献６は同様の物品を開示しており、ここではテープ固定部材は弾性を有している。
【０００７】
特許文献７は、物品が着用されている間はテープを折りたたまれた状態に保持するための接着層を使用して、折りたたまれた廃棄用テープをオムツの背面シートに固定する方法を教示している。
【０００８】
これら既知の廃棄用固定手段の多くは開くことができ、物品が廃棄のために取り外される前に、着用者又は介護担当者によって間違いで外されてしまうことさえある。このことは特にオムツに取り付けられた廃棄用の固定手段を取り外し、よって固定手段としての効果をなくしてしまう場合のある乳児にとって問題である。また、廃棄用固定手段は、オムツと周囲の衣服の間の動きによって開けられ、よって衣服に付着してしまう場合がある。偶然に外れてしまった場合には、廃棄用固定手段は汚されるか、又は損傷される場合もあり、その固定特性が減少する場合がある。
【０００９】
物品の廃棄の準備ができる前の、廃棄用固定手段の望ましくない開放と取り外しとの危険が削減される、廃棄用固定手段に対する必要性がある。また、廃棄用固定手段は幼児にとってアクセスしにくいことが望ましい。さらに、廃棄用固定手段は、汚れ及び損傷から保護されているべきである。廃棄用固定手段の位置は、介護者に明瞭に気づかれるべきである。
【特許文献１】欧州特許出願公開第１１２１９１７号明細書
【特許文献２】国際出願ＰＣＴ／ＳＥ２００４／００２０２６号明細書
【特許文献３】米国特許出願第２００３／０１５３８９１号明細書
【特許文献４】米国特許出願第２００２／００６５５００号明細書
【特許文献５】欧州特許第０６２３３３０号明細書
【特許文献６】欧州特許第００７３２０９４号明細書
【特許文献７】特開２００２−０４５４０１号公報
【特許文献８】欧州特許出願公開第１０３５８１８号明細書
【発明の開示】
【発明が解決しようとする課題】
【００１０】
本発明は、従来技術の廃棄用固定手段の問題を解決することを目的としている。本発明の１つの特定の目的は、物品の廃棄の準備がされる前に、間違いで開けられてしまう危険を減少させる廃棄用固定手段を有する吸収性物品を提供することである。また特に、隠されていて、すぐにはアクセスすることができず、望ましくない開放又は取り外しの危険を最小化する廃棄用固定手段を提供することである。
【００１１】
本発明によれば、オムツ、パンツ型オムツ、生理用ナプキン、又は失禁ガードのような吸収性物品が提供される。この吸収性物品は、内側カバーシートと外側カバーシートとの間に配置された吸収性コアを備え、長手方向と横方向とを有している。この物品は少なくとも１つの廃棄用固定手段をさらに備え、前記廃棄用固定手段は、外側カバーシートの少なくとも一部分に固定されるように適用された固定要素を有し、この固定要素は、前記物品が使用された後の廃棄を簡便にする構成に、物品が固定されることを可能にしている。また、廃棄用固定手段は、引っ張りタブを備えている。本発明は、廃棄用固定手段が使用されていない場合にはポケットの中に配置され、引っ張りタブが前記ポケットから突出しており、よって廃棄用固定手段を必要なときにポケットから引き出すことができることを主に特徴としている。
【００１２】
１つの実施形態によれば、ポケットは、物品の内側カバーシートと外側カバーシートとの間に形成されている。代替的には、外側カバーシートは、服に面する層と少なくとも１つの内側層とを備える積層体であり、ポケットはこの内側層と服に面する層との間に形成されている。
【００１３】
ポケットを内側カバーシート又は外側カバーシートと、そのカバーシートに分離して結合された材料層との間に形成することができる。望ましくは、ポケットは物品の内側カバーシートの内表面に配置されている。１つの実施形態においては、材料層と廃棄用固定手段とは同じ材料片から形成されている。
【００１４】
本発明の１つの実施形態においては、ポケットは、引っ張りタブが物品の端部を越えて突出するように配置されている。好適には、ポケットは、物品の腰バンドに配置され、引っ張りタブが物品の腰バンドを超えて突出するように構成されている。
【００１５】
固定要素は面ファスナータイプの固定部材のフック部分又は接着テープタブとすることができる。廃棄用固定手段はポケットの中で折りたたむことができるか、又は弾性材料を備え、引っ張り下にない場合にはポケットの中に隠されているが引っ張り下においては引っ張りタブを引くことによってポケットから引き出すことができるようにすることができる。
【００１６】
好適には、物品は、表部、股部分、及び背部を備えるパンツ型の吸収性物品であり、前記表部及び背部は２つの対向する長手方向側端辺に沿って互いに結合されて、腰部開口部と１対の脚部開口部とを形成している。廃棄用固定手段を物品の表部又は背部に配置することができる。
【００１７】
［定義］
〈吸収性物品及びパンツタイプの吸収性物品〉
“吸収性物品”という文言は、着用者の肌に対して配置され、尿、便及び月経流体のような身体滲出物を吸収し保持する製品を意味している。本発明は主に使い捨て式吸収性物品に関し、使い捨て式吸収性物品は、使用後に吸収性物品として洗濯され又は別様に再保存されること、又は再使用されることを意図されていない物品を意味している。
【００１８】
オムツを着用者の腰の周りに固定するための接着テープタブ又は面ファスナータイプの固定部材の形態の固定手段を有するオムツでは、この固定手段は、廃棄用固定手段として使用することもできる。しかし、他の物品、特にパンツ型オムツは、特別の廃棄用固定手段を必要とする。よって、本発明は特にパンツ型吸収性物品に適合しており、パンツ型吸収性物品は形成された腰部開口部と１対の脚部開口部を有し、着用者の体に、脚部開口部に脚を挿入し物品を腰の上まで引き上げられることによって着用者に着用される。このようなパンツ型吸収性物品の例は、パンツ型オムツ、生理用パンツ、及び失禁症を患っている大人によって着用される失禁用パンツである。パンツ式物品は、通常は前部、股部分、及び後部を備え、前記前部及び後部は２つの対向する長手方向の側端辺に沿って互いに結合され、腰部開口部と１対の脚部開口部とを形成している。
【００１９】
〈内側カバーシート〉
「内側カバーシート」という文言は、吸収性物品の内側カバーを形成している液体透過性材料シートを意味し、使用の際には着用者の皮膚に直接配置される。内側カバーシートは、例えばスパンボンド、メルトブローン、カーディド、水流交絡式（ｈｙｄｒｏｅｎｔａｎｇｌｅｄ），  湿式（ｗｅｔｌａｉｄ）などの不織材を備えることができる。好適な不織材は、例えばパルプ又は綿繊維などの自然繊維、ポリエステル、ポリエチレン、ポリプロピレン、ビスコースなどの人工繊維、又は自然繊維及び人工繊維の混合物から構成することができる。さらに、内側カバーシート材は２つの繊維から構成することができ、例えば特許文献８に開示されているような結合パターンに互いに結合することができる。表面シートの材料のさらなる例は、多孔性発泡材、有孔のプラスティックフィルムなどである。内側カバーシート材として好適な材料は、柔らかく、皮膚に炎症を与えないものでなければならず、例えば尿又は月経流体などの体液によって容易に透通されるようでなければならない。さらに、内側カバーシートは、吸収性物品の異なる部分において異なっていても良い。
【００２０】
〈外側カバーシート〉
外側カバーシートは、吸収性物品の外側カバーを形成する液体不透過性材料を意味している。外側カバーシートは、例えばポリエチレン又はポリプロピレンフィルムなどの薄いプラスティックフィルム、液体不透過性を有する材料でコーティングされた不織材、液体の透通に対して耐性を有する疎水性不織材、又は、プラスティックフィルムと不織材とからなる積層体を備えることができる。外側カバーシート材は、液体が通り抜けるのを妨げる一方で、水蒸気が吸収性コアから逃げることができるように通気性とすることができる。通気性の外側カバーシート材の例は、多孔性のポリマーフィルム、スパンボンド及びメルトブローンの層からなる不織積層体、及び多孔性のポリマーフィルム及び不織材からなる積層体である。好ましくは、外側カバーシートは、少なくともその服に面する表面において不織材を備えている。
【００２１】
〈吸収性コア〉
“吸収性コア”は、吸収性物品の２つのカバーシートの間に配置された吸収性を有する構造体である。吸収性コアは、従来のいずれの種類のものとすることもできる。通常使用される吸収性材料の例は、セルロースのフラフパルプ、ティッシュ層、高度に吸収性を有するポリマー〈いわゆる超吸収体〉、吸収性発泡材料、吸収性不織材、又はその種のものである。セルロースのフラフパルプを、吸収性コア内の超吸収性ポリマーと組み合わせることが一般的である。超吸収性ポリマーは、水膨潤性を有する有機物又は無機物、若しくは水不溶性の有機物又は無機物であり、０．９重量％の塩化ナトリウム含有水溶液を超吸収性ポリマー自体の重量の少なくとも約２０倍吸収することができる。超吸収性材料として使用されるために好適な有機材料は、ポリサッカライド、ポリペプチド、及びその種のもののような自然材料、及び合成ハイドロジェルポリマーのような合成材料を含んでいる。このようなハイドロジェルポリマーは、例えばポリアクリル酸のアルカリ金属塩、ポリアクリルアミド、ポリビニルアルコール、ポリアクリレート、ポリアクリルアミド、ポリビニルピリジン、及びその種のものを含んでいる。別の好適なポリマーは、加水分解されたアクリロニトリルグラフトスターチ、アクリル酸グラフトスターチ、及びイソブチレンマレイン酸アンハイドライド共重合体及びこれら物質の混合物を含んでいる。ハイドロジェルポリマーは、好ましくは軽く架橋されており、材料を実質的に水不溶性としている。好ましい超吸収性材料は、さらに表面架橋されており、よって超吸収性粒子、繊維、フレーク、球体などの外側表面若しくは外殻は、超吸収体の内部よりも高い架橋密度を有している。超吸収性材料は、粒子、繊維、フレーク、球体、及びその種のものを含む、吸収性複合体に使用するために好適なすべての形態とすることができる。
【００２２】
高い吸収能力は、多量の超吸収性材料の使用によって提供されている。セルロースの繊維、及び超吸収性材料のような、親水性繊維のマトリックスを備える吸収性コアにとって、超吸収性材料の比率は、好ましくは重量にして１０〜９０％であり、より好ましくは重量にして３０〜７０％である。
【００２３】
吸収性物品が、液体収容能力、液体分散能力、及び液体貯蔵能力に関して異なる特性の層を備えている吸収性コアを有することは、従来から行われていることである。例えば赤ちゃん用オムツ及び失禁ガードにおいて通常である薄い吸収体は、多くの場合、セルロースフラフパルプ及び超吸収性ポリマーの圧縮された混合構造又は層構造を備えている。吸収性コアの大きさ及び吸収能力は、幼児に対して、又は大人の失禁症の人に対してのような、異なる使用に合うように変化させることができる。
【００２４】
吸収性コアは、主な吸収体の上面に配置され、排出された液体を、主な吸収性コアによって吸収される前に、すばやく収容し一時的に貯蔵する捕捉分散層をさらに含んでいる。このような捕捉分散層は、従来技術においてよく知られており、多孔性の繊維詰め物又は発泡性材料から構成することができる。
【００２５】
〈廃棄用固定手段〉
「廃棄用固定手段」という文言は、接着テープ又はフック部材の形態の機械的固定手段のような固定要素を備える材料のストリップのような固定手段を意味している。廃棄用固定手段は、外側カバーシートに固定することができ、その廃棄後に吸収性物品を折りたたまれた状態又は丸められた状態に保持するように配置されている。
【発明を実施するための最良の形態】
【００２６】
本発明は、図面を参照しつつより詳細に記載されている。
【００２７】
図１に示す吸収性物品１０（この場合はパンツ型オムツ）は、内側カバーシート１４と外側カバーシート１６との間に配置された吸収性コア１２を備えている。パンツ型吸収性物品は、形成された腰部開口部４８及び１対の脚部開口部５０を有し、着用者の体に、脚を脚部開口部の中に挿入し物品を腰を超えて引き上げることによって着用される。このようなパンツ型吸収性物品の例は、パンツ型オムツ、生理用パンツ、及び失禁症の大人によって着用される失禁パンツである。パンツ型吸収性物品は表部分３８を備え、表部分３８は、使用の際に着用者の前腹部と前下腹部の上に延在するように意図される物品の部分である。また、物品は背部分４２を備え、背部分は、使用の際に着用者の背中及び後下腹部の上に延在することを意図される物品の部分である。パンツ型吸収性物品の股部分４０は、使用の際に着用者の脚の間の股部分を通して延在するように意図されている物品の部分である。表部分３８及び背部分４２は、股部分４０とは異なる材料組成を有することができる。
【００２８】
表部分３８及び背部分４２の横方向側端部は互いに結合されて側部シーム４４を形成しており、物品は前述の腰部開口部と脚開口部とを有するパンツ状の形態を有するようになる。表部分と背部分とは、例えば接着剤、超音波溶着、熱シール又はその種の方法で前記側部シーム４４に沿って結合されている。表部分３８及び背部分４２は、図面に示されているように、側部シーム２５において内側に面する内側カバーシート１４と、側端部に沿って結合することができる。代替的に、表部分３０及び背部分３４は、表部分３８又は背部分４２のどちらかの内側カバーシート１４が対向する部分の外側カバーシート１６に面するように重なった状態で結合される。
【００２９】
腰部開口部４８と、脚部開口部５０の少なくとも一部分とは、通常は弾性化されている。弾性化は通常、弾性糸のような複数の弾性部材によって達成されており、この弾性部材は外側カバーシート１６と内側カバーシート１４との間に収縮自在に固定されている。代替的に、弾性積層体のような弾性材を、弾性が求められる領域において表部分３８又は背部分４２を形成するように使用することができる。
【００３０】
物品は、上述したように、少なくとも１つの廃棄用固定手段１８をさらに備えている。物品は、例えば２つ、３つ又はそれ以上の廃棄用固定手段を備えることができるが、経済性の観点からは１つだけ又は２つの廃棄用固定手段が通常は存在している。廃棄用固定手段１８はいずれの好適な材料から形成することができる。さらに、不織材を備える材料層２２は不織材からなる外側カバーシートに対して十分に隠されており、不織材は外側カバーシートに対する選択肢の材料である。典型的には、廃棄用固定手段１８は、パンツ型オムツの表部分３８又は背部分４２に配置されている。
【００３１】
吸収性物品１０に対する廃棄用固定手段１８の取り付けは糊付け又は溶着によっていても良いが、手で引っ張った場合に廃棄用固定手段１８が容易に分離しないために十分に強い必要がある。
【００３２】
廃棄用固定手段１８は、外側カバーシート１６の少なくとも一部分に固定するように適用された固定要素２０を有している。固定要素２０は、この物品が使用された後に、この物品が簡便な廃棄を提供する構成に固定されることを可能としている。この構成は丸められた、又は折りたたまれた構成とすることができる。固定要素２０の選択は外側カバーシート１６の特性に依存しており、外側カバーシート１６がプラスティックフィルムである場合には、好適な固定要素は接着テープタブである。吸収性物品１０の外側カバーシート１６が不織材又は材料層である場合には、好適な固定要素２０は面ファスナータイプの固定部材のフック部分である。当業者は、必要とされる結果を付与する、固定要素と外側カバーシートとの好適な組み合わせを理解するであろう。固定要素２０は通常、廃棄用固定手段の外側カバーシート１６への取り付け位置から最も離れた部分である廃棄用固定手段１８の端部において廃棄用固定手段１８に取り付けられている。
【００３３】
物品は長手方向（ｙ）と横方向（ｘ）を有している。
【００３４】
廃棄用固定手段１８は、引っ張りタブ２２をさらに備えている。引っ張りタブ２２は、廃棄用固定手段１８に結合される分離した材料片を備えることもでき、又は廃棄用固定手段１８の不可欠な部分とすることもできる。引っ張りタブ２２は、着用者がしっかりと把持することができるように、十分に大きくあるべきである。引っ張りタブ２２に対して好適な材料は不織材又はプラスティックフィルム、若しくはこれら材料からなる積層体である。
【００３５】
本発明による廃棄用固定手段１８は、使用されていないときにはポケット２４中に配置されており、必要なときに廃棄用固定手段１８をポケット２４から引き出すことができるように、引っ張りタブ２２が前記ポケット２４から突出している。このように、物品が廃棄できるようになる前の廃棄用固定手段１８の望ましくない開放又は取り外しの危険が減少されている。廃棄用固定手段１８がポケット２４内に配置されているということによって、廃棄用固定手段１８は幼児にとってアクセスしにくくなっている。さらに、ポケット２４は廃棄用固定手段１８を汚れ及び損傷から保護するように作用する。また、廃棄用固定手段１８はねじれにくく、又は望ましくないように折りたたまれにくい。引っ張りタブ２２がポケット２４から突出しているということによって、廃棄用固定手段２２の場所が容易に識別され、廃棄用固定手段に容易にアクセスすることができる。
【００３６】
図２は、本発明の廃棄用固定手段１８の拡大図であり、ポケット２４が内側カバーシート１４と外側カバーシート１６との間に形成されている。この実施形態は、廃棄用固定手段１８が物品の生産中は２つのカバーシートの間に包含されているので、容易に製造可能である。
【００３７】
図３は、図２の線ＩＩＩ−ＩＩＩに沿った断面図である。図３に示すように、廃棄用固定手段１８は内側カバーシート１４と外側カバーシート１６との間に配置され、よって保護されている。引っ張りタブ２２はポケット２４の外側に延びている。廃棄用固定手段１８は、ポケット２４の中に入るように折りたたまれなければならない長さとすることができる。図３はＺ字状に折りたたまれた廃棄用固定手段１８を示しているが、別の折りたたみ形状も考えられる〈例えば、Ｃ字状〉。この図における構成要素間の距離は明瞭さのために強調されており、実際の製品においては、構成要素は実質的に互いに接するように配置されている。廃棄用固定手段１８は、好適に配置された糊付け部又は溶着部４６によって、その折畳まれた状態に保持することができる。廃棄用固定手段１８を物品１０に取り付けている糊付け部又は溶着部とは対照的に、ともに折りたたまれている糊付け部又は溶着部４６は、使用者又は着用者が手で引っ張りタブを引っ張ったときに開放される。
【００３８】
有利には、廃棄用固定手段１８は弾性材料から形成されており、よって引っ張られていないときには、廃棄用固定手段１８はポケット２４の内部に隠されているが、引っ張りタブ２２を引くことによって引っ張られているときにはポケット２４から引っ張り出すことができる。
【００３９】
図４は代替的な実施形態を示しており、ここでは物品の外側カバーシート１６は積層体２６である。図５は、図４における線Ｖ−Ｖに沿った断面図を示している。積層体２６は、服に面する層２８と少なくとも１つの内側層３０とを備え、ポケット２４は内側層３０と服に面する層２８との間に形成されている。積層体２６は好適には、プラスティックフィルムと不織材との積層体であり、不織材は物品の服に面する層２８を備えている。上述の場合と同様に、廃棄用固定手段１８はポケット２４の中で折りたたむことができるか、又は弾性を有することができる。図５は、図４における線Ｖ−Ｖに沿った断面図を示している。ここでもまた、これら図において構成要素間の距離は明瞭さのために強調されており、実際の製品においては、構成要素は実質的に互いに接するように配置されている。
【００４０】
上記に与えられた実施形態に対する代替案として、ポケット２４は、内側カバーシート１４又は外側カバーシート１６と、追加的な材料層３２〈図６参照〉との間に形成される。この追加的な層３２は、いずれの好適な材料から作ることもできるが、不織材が特に好ましい。ポケット２４は物品の内側表面又は外側表面に配置することができるが、ポケット２４は好ましくは物品の内側カバーシート１４の内側表面３４に配置される。線ＶＩＩ−ＺＩＩに沿った断面図が図７ａに示されている。追加的な材料層３２及び廃棄用固定手段１８は、同じ材料片から形成することができる〈図７ｂ参照〉。このことは、一方の端部の幅が狭く、他方の端部の幅が広い材料片によって達成することができる。幅の狭い端部は廃棄用固定手段１８を構成し、幅の広い端部は追加的な材料層３２を構成する。製造中には、幅の広い端部は内側カバーシート１４又は外側カバーシート１６に結合されてポケット２４を形成し、材料片の幅の狭い端部は、よって形成されたポケットの中に配置される。代替的には、追加的な材料層３２と廃棄用固定手段１８は別々のものである（図７ｃ参照）。
【００４１】
介護者又は使用者が廃棄用固定手段１８を容易に配置し露出できるように、ポケット２４は、引っ張りタブ２２が物品１０の端部を越えて突出するように配置される。好ましくは、この端部は物品の腰バンドである。より好ましくは、物品はオムツ又はパンツ型オムツであり、ポケット２４は物品の腰バンド３６に配置され、引っ張りタブ２２が物品の腰バンド３６を超えて突出するように構成される。
【００４２】
既述したように、本発明はパンツ型の吸収性物品に最も適している。このような物品は、表部３８、股部分４０、及び背部４２を備え、前記表部３８及び背部４２は２つの対向する長手方向側端辺に沿って互いに結合され、腰部開口部と１対の脚部開口部とを形成している。廃棄用固定手段１８は最も簡便には物品の表部分３８又は背部分４２に配置され、よって容易にアクセスできるようにされている。
【００４３】
図８ａ〜ｃは、本発明による廃棄用固定手段１８が、汚れたオムツを廃棄する場合に、どのように使用されるかを示している。汚れたパンツ型オムツを取り外す１つの方法は、側部シームを破ることによって行われる。次いで、図８ａに示されるように、引っ張りタブが引っ張られ、よって使用できる状態の廃棄用固定手段１８を引っ張り出す。廃棄用固定手段１８は、図８ｂに示されるように、折りたたまれていない状態に戻るか、又は必要に応じて引き伸ばされる。最後に、オムツは折りたたまれるか、又は丸められてきつくまとめられ、廃棄用固定手段１８の固定要素２０がオムツの外側カバーシートに貼り付けられ、よってこの折りたたまれた、又は丸められた状態を維持している〈図８ｃ参照〉。オムツの安全で衛生的な廃棄がよって可能になる。
【００４４】
本発明は、上記に説明されるとともに図面に示された実施形態に限られるわけではなく、特許請求の範囲内で変形され得る。異なる実施形態の詳細は、当業者には明らかであるように、勿論、希望に応じて組み合わせることができる。
【図面の簡単な説明】
【００４５】
【図１】本発明による廃棄用固定手段を備えるパンツ型オムツの図である。
【図２】本発明による廃棄用固定手段の図である。
【図３】図２における線ＩＩＩ−ＩＩＩを通じる断面図である。
【図４】本発明による廃棄用固定手段の代替的実施形態の図である。
【図５】図４における線Ｖ−Ｖを通じる断面図である。
【図６】本発明による廃棄用固定手段の代替的実施形態の図である。
【図７ａ】図６における線ＶＩＩ−ＶＩＩを通じる断面図である。
【図７ｂ】ポケット及び廃棄用固定手段を形成するための材料片の使用の図である。
【図７ｃ】別々の材料片でポケット及び廃棄用固定手段を形成する場合の図である。
【図８ａ】廃棄用固定手段がどのように適用されるかを示す図である。
【図８ｂ】廃棄用固定手段がどのように適用されるかを示す図である。
【図８ｃ】廃棄用固定手段がどのように適用されるかを示す図である。
【符号の説明】
【００４６】
１０・・・吸収性物品
１２・・・吸収性コア
１４・・・内側カバーシート
１６・・・外側カバーシート
１８・・・廃棄用固定手段
２０・・・固定要素
２２・・・引っ張りタブ
２４・・・ポケット
２６・・・積層体
２８・・・服に面する層
３０・・・内側層
３２・・・追加的な材料層
３４・・・内表面
３６・・・腰バンド
３８・・・表部
４０・・・股部分
４２・・・背部
ｘ・・・横方向
ｙ・・・長手方向
【図１】
2008541924.tif 000003
【図２】
2008541924.tif 000004
【図３】
2008541924.tif 000005
【図４】
2008541924.tif 000006
【図５】
2008541924.tif 000007
【図６】
2008541924.tif 000008
【図７ａ】
2008541924.tif 000009
【図７ｂ】
2008541924.tif 000010
【図７ｃ】
2008541924.tif 000011
【図８ａ】
2008541924.tif 000012
【図８ｂ】
2008541924.tif 000013
【図８ｃ】
2008541924.tif 000014
【手続補正書】
【提出日】平成18年12月2日(2006.12.2)
【手続補正１】
【補正対象書類名】特許請求の範囲
【補正対象項目名】全文
【補正方法】変更
【補正の内容】
【特許請求の範囲】
【請求項１】
内側カバーシート（１４）と外側カバーシート（１６）との間に配置された吸収性コア（１２）を備えるオムツ、パンツ型オムツ、生理用ナプキン、又は失禁ガードのような吸収性物品（１０）であって、
前記物品は、少なくとも１つの廃棄用固定手段（１８）をさらに備え、前記廃棄用固定手段（１８）は、前記外側カバーシート（１６）の少なくとも一部分に固定されるように適用された固定要素（２０）を有し、該固定要素（２０）は、前記物品が、前記物品が使用された後の廃棄を簡便にする構成に固定されることを可能にしており、前記廃棄用固定手段（１８）は、引っ張りタブ（２２）をさらに備え、前記物品は長手方向（ｙ）と横方向（ｘ）とを有している、吸収性物品において、
前記廃棄用固定手段（１８）は、使用されていない場合にはポケット（２４）の中に配置され、前記ポケット（２４）は、前記内側カバーシート（１４）と前記外側カバーシート（１６）との間に形成され、前記引っ張りタブ（２２）は、前記ポケット（２４）から突出しており、よって廃棄用固定手段（１８）を必要なときにポケット（２４）から引き出すことができることを特徴とする吸収性物品。
【請求項２】
前記ポケット（２４）は、前記引っ張りタブ（２２）が前記物品の端部を越えて突出するように配置されていることを特徴とする請求項１に吸収性物品。
【請求項３】
前記物品は、オムツ又はパンツ型オムツであり、前記ポケット（２４）は、前記物品の腰バンド（３６）に配置されているとともに、前記引っ張りタブ（２２）が前記物品の前記腰バンド（３６）を超えて突出するように構成されていることを特徴とする請求項２に記載の吸収性物品。
【請求項４】
前記固定要素（２０）は、面ファスナータイプの固定部材のフック部分であることを特徴とする請求項１〜３のいずれか一項に記載の吸収性物品。
【請求項５】
前記固定要素（２０）は、接着テープタブであることを特徴とする請求項１〜４のいずれか一項に記載の吸収性物品。
【請求項６】
前記廃棄用固定手段（１８）は、前記ポケット（２４）の中で折りたたまれていることを特徴とする請求項１〜５のいずれか一項に記載の吸収性物品。
【請求項７】
前記廃棄用固定手段（１８）は弾性材料を備え、引っ張り下にない場合には前記廃棄用固定手段（１８）は前記ポケット（２４）の中に隠されているが、引っ張り下においては前記引っ張りタブ（２２）を引くことによって前記ポケット（２４）から引き出すことができることを特徴とする請求項１〜６のいずれか一項に記載の吸収性物品。
【請求項８】
前記物品（１０）は、表部（３８）、股部分（４０）、及び背部（４２）を備えるパンツ型の吸収性物品であり、前記表部（３８）及び前記背部（４２）は、２つの対向する長手方向側端辺に沿って互いに結合されて、腰部開口部と１対の脚部開口部とを形成していることを特徴とする請求項１〜７のいずれか一項に記載の吸収性物品。
【請求項９】
前記廃棄用固定手段（１８）は、前記物品の表部（３８）又は背部（４２）に配置されていることを特徴とする請求項１〜８のいずれか一項に記載の吸収性物品。
【国際調査報告】
2008541924.tif 000015
2008541924.tif 000016
2008541924.tif 000017